(57)【要約】【課題】  表示画面を他人に覗かれても、入力した文字列が解読されるのを防止できる携帯電話機、表示方法、およびプログラムを提供すること。【解決手段】  携帯電話機１は、表示領域を有する表示画面３１と、文字を入力する操作キー２２と、この入力された文字を漢字変換するＣＰＵ４１と、この入力文字を表示画面３１の表示領域に表示する表示制御部４２と、入力文字を記憶する入力文字用フレームメモリ５１と、漢字変換される前の状態である変換前文字の色と異なる色の変換前文字マスクおよび漢字変換された後の状態である変換後文字の色と同じ色の変換後文字マスクを記憶する文字マスク用フレームメモリ５２と、を備え、表示制御部４２は、変換前文字が表示される領域には、変換前文字マスクを合成し、変換後文字が表示される領域には、変換後文字マスクを合成する。【選択図】        図６
2006352358.tif 000002
【特許請求の範囲】
【請求項１】
表示領域を有する表示手段と、文字を入力する入力手段と、この入力された文字を変換する変換手段と、前記入力文字を前記表示手段の表示領域に表示する入力文字表示手段と、前記入力文字からなる文字列を電子メールとして送信する送信手段と、を備える携帯電話機であって、
前記入力文字表示手段は、前記変換手段で変換された後の状態である変換後文字を、解読不能に表示することを特徴とする携帯電話機。
【請求項２】
請求項１に記載の携帯電話機において、
前記入力文字を記憶する第１のフレームメモリと、前記変換手段で変換される前の状態である変換前文字の色に関連しない色からなる変換前文字マスクおよび前記変換手段で変換された後の状態である変換後文字の色に関連する色からなる変換後文字マスクを記憶する第２のフレームメモリとをさらに備え、
前記入力文字表示手段は、前記表示領域のうち前記変換前文字が表示される領域には、前記変換前文字マスクを合成し、前記変換後文字が表示される領域には、前記変換後文字マスクを合成する合成手段を備えることを特徴とする携帯電話機。
【請求項３】
請求項１に記載の携帯電話機において、
前記入力文字を記憶する第１のフレームメモリと、前記入力文字をマスクする文字マスクを記憶する第２のフレームメモリとをさらに備え、
前記入力文字表示手段は、前記表示領域のうち前記変換手段で変換された後の状態である変換後文字が表示される領域には、前記第２フレームに記憶されたマスクを優先して合成する合成手段を備えることを特徴とする携帯電話機。
【請求項４】
請求項２または３に記載の携帯電話機において、
前記合成手段をオン／オフする合成起動手段をさらに備えることを特徴とする携帯電話機。
【請求項５】
請求項２から４のいずれかに記載の携帯電話機において、
前記入力文字表示手段は、前記入力文字を前記表示領域にスクロール表示可能であることを特徴とする携帯電話機。
【請求項６】
請求項２から５のいずれかに記載の携帯電話機において、
前記送信手段は、前記入力文字からなる文字列を前記表示領域に表示可能であることを特徴とする携帯電話機。
【請求項７】
表示領域を有する表示手段と、文字を入力する入力手段と、この入力された文字を変換する変換手段と、前記入力文字を前記表示手段の表示領域に表示する入力文字表示手段と、前記入力文字からなる文字列を電子メールとして送信する送信手段と、を備える携帯電話機の表示方法であって、
前記入力文字表示手段で、前記変換手段により変換された後の状態である変換後文字を、解読不能に表示することを特徴とする携帯電話機の表示方法。
【請求項８】
請求項７に記載の携帯電話機の表示方法において、
第１のフレームメモリで前記入力文字を記憶し、第２のフレームメモリで前記変換手段により変換される前の状態である変換前文字の色に関連しない色からなる変換前文字マスクおよび前記変換手段により変換された後の状態である変換後文字の色に関連する色からなる変換後文字マスクを記憶しておき、
前記入力手段で文字が入力されると、この入力された文字を変換前文字として前記表示領域に表示し、
前記変換手段で前記変換前文字が変換されると、この変換された文字を変換後文字として前記表示領域に表示し、
前記表示領域のうち前記変換前文字が表示される領域には、前記変換前文字マスクを合成し、前記変換後文字が表示される領域には、前記変換後文字マスクを合成することを特徴とする携帯電話機の表示方法。
【請求項９】
請求項７に記載の携帯電話機の表示方法において、
第１のフレームメモリで前記入力文字を記憶し、第２のフレームメモリで前記入力文字をマスクする文字マスクを記憶しておき、
前記入力手段で文字が入力されると、この入力された文字を変換前文字として前記表示領域に表示し、
前記変換手段で前記変換前文字が変換されると、この変換された文字を変換後文字として前記表示領域に表示し、
前記表示領域のうち前記変換後文字が表示される領域には、前記第２のフレームメモリに記憶されたマスクを優先して合成することを特徴とする携帯電話機の表示方法。
【請求項１０】
請求項７から９のいずれかに記載の携帯電話機の表示方法をコンピュータに実行させるためのプログラム。
【発明の詳細な説明】
【技術分野】
【０００１】
本発明は、例えば、携帯電話機、表示方法、およびプログラムに関する。
【背景技術】
【０００２】
従来より、携帯電話機が知られている。この携帯電話機は、表示画面と、文字を入力する操作キーと、この入力文字を表示画面に表示する表示制御部と、入力文字からなる文章を電子メールとして送信する通信制御部と、を備える。
利用者は、このような携帯電話機を利用して、時間や場所などの制約を受けることなく、文章を作成したり、この作成した文章を電子メールとして送信できる。しかし、特に人が密集した場所においては、電子メールとして作成した文章を表示する表示画面が、他人に覗き見られる恐れがあった。
【０００３】
これに対して、２つの発明が提案されている。第１は、携帯電話機の表示画面に添付するフィルムである。このフィルムは、偏光機能を有しており、これにより、表示画面の表示範囲の角度を制限する。第２は、ＣＣＤカメラを搭載した携帯電話機である（特許文献１）。このＣＣＤカメラは、表示画面の正面に臨む所定の範囲を撮影し、この撮影した画像に含まれる人物の虹彩パターンを表す虹彩データを抽出する。この抽出した虹彩データと、予め登録しておいた利用者の虹彩データとを比較することによって、表示画面を見ている人物が利用者と同一人物であるか否かが判定され、同一でない場合には警告画面が表示される。
【特許文献１】特開２００３−２６４８７７号公報
【発明の開示】
【発明が解決しようとする課題】
【０００４】
しかしながら、上述の２つの発明において、次のような課題があった。第１の発明に対しては、表示画面に添付されるフィルムは偏光機能を有するため、表示画面を正面から見る利用者に対しても表示画面が見づらく、また、表示画面に対する角度によっては表示画面が覗き見られる、といった課題があった。第２の発明に対しては、携帯電話機にＣＣＤカメラを搭載する必要があるため、コストが高くなり、また、ＣＣＤカメラが撮影できる範囲の角度に制限があるため、この範囲外の角度からは、表示画面が覗き見られる、といった課題があった。
【０００５】
本発明は、上述のような課題に鑑みてなされたものであり、他人によって表示画面が覗き見られても、表示画面に表示された文章が解読されるのを防止できる携帯電話機、表示方法、およびプログラムを提供することである。
【課題を解決するための手段】
【０００６】
本発明の携帯電話機は、表示領域を有する表示手段と、文字を入力する入力手段と、この入力された文字を変換する変換手段と、前記入力文字を前記表示手段の表示領域に表示する入力文字表示手段と、前記入力文字からなる文字列を電子メールとして送信する送信手段と、を備える携帯電話機であって、前記入力文字表示手段は、前記変換手段で変換された後の状態である変換後文字を、解読不能に表示することを特徴とする。
【０００７】
本発明によれば、入力手段で文字を入力すると、この入力された文字は、変換前文字として表示領域に表示される。次に、変換手段で変換前文字を変換すると、この変換された文字は変換後文字として表示領域に表示される。続いて、入力文字表示手段により、表示領域のうち変換後文字が表示される領域は、解読不能に表示される。
よって、変換前文字のみ認識できるから、他人に表示領域を覗かれても、入力した文字列が解読されるのを防止できる。
【０００８】
本発明の携帯電話機では、前記入力文字を記憶する第１のフレームメモリと、前記変換手段で変換される前の状態である変換前文字の色に関連しない色からなる変換前文字マスクおよび前記変換手段で変換された後の状態である変換後文字の色に関連する色からなる変換後文字マスクを記憶する第２のフレームメモリとをさらに備え、前記入力文字表示手段は、前記表示領域のうち前記変換前文字が表示される領域には、前記変換前文字マスクを合成し、前記変換後文字が表示される領域には、前記変換後文字マスクを合成する合成手段を備えることが好ましい。
【０００９】
本発明によれば、入力手段で文字を入力すると、この入力された文字は変換前文字として表示領域に表示される。次に、変換手段で変換前文字を変換すると、この変換された文字は変換後文字として表示領域に表示される。続いて、合成手段により、表示領域のうち変換前文字が表示される領域には、変換前文字マスクが合成され、変換後文字が表示される領域には、変換後文字マスクが合成される。
よって、変換前文字に合成される変換前文字マスクは、変換前文字の色に関連しない色からなり、変換後文字に合成される変換後文字マスクは、変換後文字の色に関連する色からなるので、変換前文字のみを認識できるから、他人に表示領域を覗かれても、入力した文字列が解読されるのを防止できる。
【００１０】
本発明の携帯電話機では、前記入力文字を記憶する第１のフレームメモリと、前記入力文字をマスクする文字マスクを記憶する第２のフレームメモリとをさらに備え、前記入力文字表示手段は、前記表示領域のうち前記変換手段で変換された後の状態である変換後文字が表示される領域には、前記第２フレームに記憶されたマスクを優先して合成する合成手段を備えることが好ましい。
【００１１】
本発明によれば、入力手段で文字を入力すると、この入力された文字は変換前文字として表示領域に表示される。次に、変換手段で変換前文字を変換すると、この変換された文字は変換後文字として表示領域に表示される。続いて、合成手段により、表示領域のうち変換後文字が表示される領域には、第２フレームに記憶されたマスクが優先して合成される。よって、変換後文字は、文字マスクによりマスクされるので、変換後文字は認識されないから、他人に表示領域を覗かれても、入力した文字列が解読されるのを防止できる。
【００１２】
本発明の携帯電話機では、前記合成手段をオン／オフする合成起動手段をさらに備えることが好ましい。
【００１３】
本発明によれば、合成手段により文字列に合成したマスクを、かけたり、はずしたりできる。よって、利用者は、その利用状況に応じて、入力した文字列の全てを表示させ、確認できる。
【００１４】
本発明の携帯電話機では、前記入力文字表示手段は、前記入力文字を前記表示領域にスクロール表示可能であることが好ましい。
【００１５】
本発明によれば、入力した文字を、部分的に表示させながら、これをスクロール表示できる。よって、入力した文字列が解読されるのを防止しつつ、その文字列を見ることができる。
【００１６】
本発明の携帯電話機では、前記送信手段は、前記入力文字からなる文字列を前記表示領域に表示可能であることが好ましい。
【００１７】
本発明によれば、入力した文字列を電子メールとして送信する際に、当該入力した文字列の全てを表示させ、確認できる。
【００１８】
また、本発明の表示方法は、表示領域を有する表示手段と、文字を入力する入力手段と、この入力された文字を変換する変換手段と、前記入力文字を前記表示手段の表示領域に表示する入力文字表示手段と、前記入力文字からなる文字列を電子メールとして送信する送信手段と、を備える携帯電話機の表示方法であって、前記入力文字表示手段で、前記変換手段により変換された後の状態である変換後文字を、解読不能に表示することを特徴とする。
【００１９】
本発明の表示方法では、第１のフレームメモリで前記入力文字を記憶し、第２のフレームメモリで前記変換手段により変換される前の状態である変換前文字の色に関連しない色からなる変換前文字マスクおよび前記変換手段により変換された後の状態である変換後文字の色に関連する色からなる変換後文字マスクを記憶しておき、前記入力手段で文字が入力されると、この入力された文字を変換前文字として前記表示領域に表示し、前記変換手段で前記変換前文字が変換されると、この変換された文字を変換後文字として前記表示領域に表示し、前記表示領域のうち前記変換前文字が表示される領域には、前記変換前文字マスクを合成し、前記変換後文字が表示される領域には、前記変換後文字マスクを合成することが好ましい。
【００２０】
本発明の表示方法では、第１のフレームメモリで前記入力文字を記憶し、第２のフレームメモリで前記入力文字をマスクする文字マスクを記憶しておき、前記入力手段で文字が入力されると、この入力された文字を変換前文字として前記表示領域に表示し、前記変換手段で前記変換前文字が変換されると、この変換された文字を変換後文字として前記表示領域に表示し、前記表示領域のうち前記変換後文字が表示される領域には、前記第２のフレームメモリに記憶されたマスクを優先して合成することが好ましい。
【００２１】
また、本発明のプログラムは、上述の携帯電話機の表示方法をコンピュータに実行させるためのプログラムである。
【発明の効果】
【００２２】
入力手段で文字を入力すると、この入力された文字は、変換前文字として表示領域に表示される。次に、変換手段で変換前文字を変換すると、この変換された文字は変換後文字として表示領域に表示される。続いて、入力文字表示手段により、表示領域のうち変換後文字が表示される領域は、解読不能に表示される。よって、変換前文字のみ認識できるから、他人に表示領域を覗かれても、入力した文字列が解読されるのを防止できる。
【発明を実施するための最良の形態】
【００２３】
＜１．第１実施形態＞
以下において、本発明の第１実施形態に係る携帯電話機１の構成について、図面を参照しながら説明する。図１は、この携帯電話機１の外観を示す斜視図である。
【００２４】
図１に示すように、携帯電話機１は、本体２０および表示部３０を備える。携帯電話機１の中央は、本体２０と表示部３０とが互いに重なって折り畳めるように形成される。
【００２５】
表示部３０は、表示手段としての表示画面３１と、スピーカ３２とを備える。
表示画面３１は、表示部３０の正面のほぼ中央に設けられ、携帯電話機１の内部にて、後述する表示制御部４２と接続される。この表示画面３１は、例えば液晶ディスプレイで構成されており、その表示領域には、電波の受信状態、電池の残量、電子メールの文章、および登録されている氏名や電話番号などの情報が表示される。
スピーカ３２は、表示部３０の正面において、表示画面３１の上部に設けられ、音声信号を出力する。
【００２６】
本体２０は、送信手段としてのアンテナ２１と、入力手段としての操作キー２２と、マイクロフォン２３とを備える。
アンテナ２１は、携帯電話機１の内部にて、後述する通信制御部４３と接続される。このアンテナ２１を介して、携帯電話機１と基地局との間で電波が送受信され、これによって、音声通話や電子メールの送受信ができる。
【００２７】
操作キー２２は、本体２０の正面のほぼ中央に設けられ、０〜９の数字キー、発呼キー、電源キー、カーソルキー、および複数のファンクションキーなどから構成される。数字キーは、ファンクションキーと組み合わせて用いることで、０〜９の数字の他、仮名文字、片仮名文字、およびアルファベットなどの文字を入力できる。また、ファンクションキーは、入力された仮名文字の漢字変換を実行させる機能も担う。カーソルキーは、表示画面３１に表示されるカーソルの移動に用いられる。利用者は、電話番号の入力、電子メールとして送信される文章の入力、およびこの電子メールの送信、などの各種操作を、この操作キー２２を入力して行うことができる。
【００２８】
マイクロフォン２３は、本体２０の正面にて、操作キー２２の下部に設けられ、利用者の音声を集音する。集音された音声は、携帯電話機１の内部にて、図示しない音声コーデックにより音声データに変換され、通信制御部４３に出力される。
【００２９】
図２は、携帯電話機１の内部の構成を示すブロック図である。図２に示すように、変換手段としてのＣＰＵ４１、入力文字表示手段としての表示制御部４２、送信手段としての通信制御部４３、操作キー２２、フレームメモリ５０がバスライン４０に接続される。
ＣＰＵ４１は、バスライン４０を介して、携帯電話機１に設けられた装置全体の動作を制御する。
【００３０】
表示制御部４２には、表示画面３１が接続される。表示制御部４２は、ＣＰＵ４１からの指示に基づいて、フレームメモリ５０に記憶された文字データやマスク画像などの画像データを合成して、表示画面３１に表示させる。
通信制御部４３には、アンテナ２１が接続される。通信制御部４３は、このアンテナ２１を介して、携帯電話機１と基地局との間の電波の送受信を行う。例えば通話時では、通信制御部４３は、アンテナ２１で受信された無線信号を処理して音声データに変換し、これを音声コーデックに出力する。
【００３１】
フレームメモリ５０は、第１のフレームメモリとしての入力文字用フレームメモリ５１と、第２のフレームメモリとしての文字マスク用フレームメモリ５２とを備える。
入力文字用フレームメモリ５１には、操作キー２２で入力された入力文字の文字データが記憶される。この文字データは、漢字変換される前の状態である変換前文字データと、漢字変換された後の状態である変換後文字データとに分けられる。文字マスク用フレームメモリ５２には、上述の表示制御部４２によって文字データと合成される文字マスクが記憶される。この文字マスクは、変換前文字データが表示画面３１に表示される領域と一致するように形成された変換前文字マスクと、変換後文字データが表示される領域と一致するように形成された変換後文字マスクとに分けられる。
また、これらのフレームメモリには、文字データおよび文字マスクが表示画面３１に表示されるときの色に対応した色のデータも記憶される。変換前、変換後文字データは、変換前、変換後文字色で記憶され、変換前、変換後文字マスクは、変換前、変換後マスク色で記憶される。また、変換前文字色と変換前マスク色とは異なる色であるとし、変換後文字色と変換後マスク色とは同じ色であるとする。
【００３２】
以下において、文章を編集し、これを電子メールとして送信するまでの携帯電話機１の動作について、図面を参照しながら説明する。
【００３３】
図３は、メイン処理を示すフロー図である。
利用者が、操作キー２２で所定の操作を行うと、文章を編集する処理が始まる。図３に示すように、ステップＳ１において、ＣＰＵ４１は、入力文字用フレームメモリ５１および文字マスク用フレームメモリ５２を初期化し、そして、表示制御部４２に指示を出し、表示画面３１に文章編集の初期画面を表示させる。この初期画面には、入力文字が表示される位置を示し、文字の入力を促すカーソルが表示される。
【００３４】
ステップＳ２において、ＣＰＵ４１は、利用者による仮名文字入力操作があったか否かを判定する。この判定がＹＥＳのときは、ステップＳ３に進み、ＮＯのときは、ステップＳ４に進む。ステップＳ３において、表示制御部４２は、入力された仮名文字に対応する変換前文字データに、変換前文字マスクを合成する変換前文字マスクの合成処理を行う。なお、この変換前文字マスク合成処理の詳細については、後述する（図４）。
【００３５】
ステップＳ４において、ＣＰＵ４１は、入力文字に変換前文字があるか否かを判定する。この判定がＹＥＳのときは、ステップＳ５に進み、ＮＯのときは、ステップＳ７に進む。
【００３６】
ステップＳ５において、ＣＰＵ４１は、利用者による漢字変換操作があったか否かを判定する。この判定がＹＥＳのときは、当該変換操作が係る変換前文字を変換後文字に漢字変換し、ステップＳ６に進み、ＮＯのときは、ステップＳ２に戻る。ステップＳ６において、表示制御部４２は、変換後文字データに変換後文字マスクを合成して、この変換後文字データを解読不能に表示する変換後文字マスクの合成処理を行う。なお、この変換後文字マスク合成処理の詳細については、後述する（図５）。
【００３７】
ステップＳ７において、表示制御部４２は、解読不能に表示された変換後文字を、カーソルキーの入力に応じてスクロール表示させるスクロール表示処理を行う。なお、スクロール表示処理の詳細については、後述する（図７）。
【００３８】
ステップＳ８において、表示制御部４２は、マスクの合成をかけたりはずしたりするマスク合成のオン／オフ処理を行う。なお、このマスク合成のオン／オフ処理の詳細については、後述する（図９）。
【００３９】
ステップＳ９において、ＣＰＵ４１は、利用者による編集終了操作があったか否かを判定する。この判定がＹＥＳのときは、ステップＳ１０に進み、ＮＯのときは、ステップＳ２に戻る。ステップＳ１０において、表示制御部４２は、電子メールを送信する前に、マスクの合成をはずす送信前マスク解除処理を行う。なお、この送信前マスク解除処理の詳細については、後述する（図１１）。
【００４０】
ステップＳ１１において、ＣＰＵ４１は、利用者による電子メール送信の確認操作があったか否かを判定する。この判定がＹＥＳのときは、ステップＳ１３に進み、ＮＯのときは、ステップＳ１２に進む。ステップＳ１２において、ＣＰＵ４１は、利用者による再編集操作があったか否かを判定する。この判定がＹＥＳのときは、ステップＳ２に戻り、ＮＯのときは、ステップＳ１１に戻り、確認操作を待つ状態となる。ステップＳ１３において、通信制御部４３は、編集された文章に対応するデータを、電子メールとして送信する処理を行い、電子メールの作成に係る動作を終了する。
【００４１】
図４は、上述した変換前文字マスク合成処理を示すフロー図である。
図４に示すように、ステップＳ１００において、ＣＰＵ４１は、上述のステップＳ２において入力された仮名文字に対応する変換前文字データを、変換前文字色で入力文字用フレームメモリ５１に書き込む。ステップＳ１０１において、ＣＰＵ４１は、変換前文字マスクを、変換前マスク色で文字マスク用フレームメモリ５２に書き込む。ステップＳ１０２において、表示制御部４２は、これら変換前文字データ、文字マスクを合成し、表示画面３１に表示させる。そして、図３のステップＳ５に戻る。
【００４２】
図５は、上述した変換後文字マスク合成処理を示すフロー図である。
図５に示すように、ステップＳ２００において、ＣＰＵ４１は、上述のステップＳ５において漢字変換された変換前文字に対応する変換前文字データを、変換後文字データに変換後文字色で書き換える。ステップＳ２０１において、ＣＰＵ４１は、書き換えられた変換前文字データに対応する変換前文字マスクを、変換後文字マスクに変換後マスク色で書き換える。ステップＳ２０２において、表示制御部４２は、これら変換後文字データ、文字マスクを合成し、表示画面３１に表示させる。そして、図３のステップＳ７に戻る。
【００４３】
図６は、上述の変換前、変換後文字マスク合成処理において、文字データと、文字マスクとが、表示制御部４２により合成されて、表示画面３１に表示されている例を示す図である。
図６の例では、入力文字用フレームメモリ５１には、変換後文字データとして、「明日の打ち合わせの件ですが、３月３１日に変更になりましたので、」の文字列が、変換後文字色で記憶され、変換前文字データとして、「よろしくおねがいします。」の文字列が、変換前文字色で記憶されている。また、変換前、変換後文字データを区別するために、変換前文字データには下線を記し、変換前文字データの文末には、入力位置を示す四角枠のカーソルが示されている。文字マスク用フレームメモリ５２には、変換後文字マスクが変換後マスク色で記憶され、変換前文字マスクが変換前マスク色で記憶されている。
【００４４】
図６に示すように、変換前文字色と変換前マスク色とは異なる色なので、変換前文字データは解読可能に表示されるが、変換後文字色は、変換後マスク色と同じ色なので、変換後文字データは解読不能に表示される。
【００４５】
図７は、上述したスクロール表示処理を示すフロー図である。
図７に示すように、ステップＳ３００において、ＣＰＵ４１は、利用者によるスクロール表示開始操作があったか否かを判定する。この判定がＹＥＳのときは、ステップＳ３０１に進み、ＮＯのときは、図３のステップＳ８に戻る。
【００４６】
ステップＳ３０１において、ＣＰＵ４１は、利用者によるカーソル移動操作があったか否かを判定する。この判定がＹＥＳのときは、ステップＳ３０２へ進み、ＮＯのときは、ステップＳ３０４へ進む。ステップＳ３０２において、ＣＰＵ４１は、変換前、変換後文字マスクのうち、カーソルの移動先に表示される領域にあるものを、変換前文字マスクに書き換え、それ以外のものを変換後文字マスクに書き換える。ステップＳ３０３において、表示制御部４２は、変換後文字データと、変換前、変換後文字マスクとを合成し、表示画面３１に表示させる。ステップＳ３０４において、ＣＰＵ４１は、利用者によるスクロール表示終了操作があったか否かを判定する。この判定がＹＥＳのときは、図３のステップＳ８に戻り、ＮＯのときは、ステップＳ３０１に戻る。
【００４７】
図８は、上述のスクロール表示処理を行った場合に、表示画面３１に表示される例を示したものである。
図８の例では、図６に示した文例と同じ文が入力、変換されており、当該入力文のうち、「変」の文字が表示される領域にカーソルを移動させ、この文字をスクロール表示させている例を示している。
【００４８】
図９は、上述したマスク合成のオン／オフ処理を示すフロー図である。
図９に示すように、ステップＳ４００において、ＣＰＵ４１は、利用者によるマスク合成の切り替え操作があったか否かを判定する。この判定がＹＥＳのときは、ステップＳ４０１に進み、ＮＯのときは、図３のステップＳ９に戻る。
【００４９】
ステップＳ４０１において、ＣＰＵ４１は、マスク合成がオン状態であるか否かを判定する。すなわち、ＣＰＵ４１は、表示制御部４２が入力文字と文字マスクとを合成して表示画面３１に表示している場合にはオン状態と判定し、ステップＳ４０２に進み、入力文字と文字マスクとを合成せずに表示している場合にはオフ状態と判定し、ステップＳ４０３へ進む。ステップＳ４０２において、表示制御部４２は、変換後文字データを、表示画面３１に表示させ、図３のステップＳ９に戻る。ステップＳ４０３において、表示制御部４２は、変換後文字データを、変換後文字マスクと合成して、表示画面３１に表示させ、図３のステップＳ９に戻る。
【００５０】
図１０は、上述のマスク合成のオン／オフ処理を行った場合に、表示画面３１に表示される例を示した図である。図１０の例では、図６に示した文例と同じ文が入力、変換されており、当該入力文に対するマスクの合成をオフした例を示している。
【００５１】
図１１は、上述した送信前マスク解除処理を示すフロー図である。
図１１に示すように、ステップＳ５００において、ＣＰＵ４１は、マスク合成がオン状態であるか否かを判定する。この判定がＹＥＳのときは、ステップＳ５０１に進み、ＮＯのときは、図３のステップＳ１１に戻る。ステップＳ５０１において、表示制御部４２は、変換後文字データを、表示画面３１に表示させ、図３のステップＳ１１に戻る。
【００５２】
＜２．第２実施形態＞
次に、本発明の第２実施形態に係る携帯電話機１について説明する。第２実施形態では、入力文字用フレームメモリ５１Ａおよび文字マスク用フレームメモリ５２Ａに記憶される文字データおよび文字マスクの構成と、文字データおよび文字マスクを合成する合成手段と、が第１実施形態と異なる。
【００５３】
入力文字用フレームメモリ５１Ａには、変換前文字データおよび変換後文字データが記憶され、文字マスク用フレームメモリ５２Ａには、文字データが表示される領域と一致するように形成された文字マスクが記憶される。
表示制御部４２Ａは、文字データと文字マスクとを合成して表示画面３１に表示させるとき、変換後文字データが表示される領域には、文字マスクを優先して合成し、変換前文字データが表示される領域には、変換前文字データを優先して合成し、そして、この合成されたデータを表示画面３１に表示させる。
なお、第２実施形態に係る携帯電話機１の他の構成については、第１実施形態と同様であるので、説明を省略する。
【００５４】
図１２は、第２実施形態に係る携帯電話機１の変換前、変換後文字マスク合成処理において、文字データと、文字マスクとが、表示制御部４２Ａにより合成されて、表示画面３１に表示されている例を示す図である。
図１２の例では、入力文字用フレームメモリ５１Ａには、変換後文字データとして、「明日の打ち合わせの件ですが、３月３１日に変更になりましたので、」の文字列が記憶され、変換前文字データとして、「よろしくおねがいします。」の文字列が記憶されている。文字マスク用フレームメモリ５２Ａには、文字マスクが記憶されている。
【００５５】
図１２に示すように、表示制御部４２Ａは、変換前文字データが表示される領域は、変換前文字データを優先して合成し、変換後文字データが表示される領域は、文字マスクデータを優先して合成して表示させる。したがって、変換前文字データは、解読可能に表示され、変換後文字データは、解読不能に表示される。
【００５６】
以上、第１、第２実施形態について説明したが、具体例を例示したに過ぎず、特に本発明を限定するものではない。
【００５７】
上述のような実施形態を実現する携帯電話機の表示方法を、コンピュータやサーバにて実行するためのプログラムにより実現することができる。このプログラムのための記憶媒体としては、光学記憶媒体、テープ媒体、半導体メモリなどが挙げられる。また、専用通信ネットワークやインターネットに接続されたサーバ・システムに設けられたハードディスクまたはＲＡＭなどの記憶装置を記憶媒体として使用し、ネットワークを介してプログラムを提供してもよい。
【００５８】
なお、上述の実施形態において、変換後文字データは、文字マスクと合成することによって、解読不能に表示させていたが、本発明はこれに限らない。例えば、変換後文字と文字マスクとを合成せずに、変換後文字が表示される領域は、何も表示させなくてもよい。
【００５９】
なお、上述の実施形態において、メイン処理を記述するステップは、時系列に沿って処理されるものとして記載したが、本発明はこれに限らない。例えば、並列的あるいは個別に実行される処理を含んでもよい。
【図面の簡単な説明】
【００６０】
【図１】本発明の第１実施形態に係る携帯電話機の外観を示す斜視図である。
【図２】前記携帯電話機の内部の構成を示すブロック図である。
【図３】前記携帯電話機のメイン処理を示すフロー図である。
【図４】前記携帯電話機の変換前文字マスク合成処理を示すフロー図である。
【図５】前記携帯電話機の変換後文字マスク合成処理を示すフロー図である。
【図６】前記携帯電話機の表示画面における表示例を示す図である。
【図７】前記携帯電話機のスクロール表示処理を示すフロー図である。
【図８】前記携帯電話機の表示画面における表示例を示す図である。
【図９】前記携帯電話機のマスク合成のオン／オフ処理を示すフロー図である。
【図１０】前記携帯電話機の表示画面における表示例を示す図である。
【図１１】前記携帯電話機の送信前マスク解除処理を示すフロー図である。
【図１２】本発明の第２実施形態に係る携帯電話機の表示画面における表示例を示す図である。
【符号の説明】
【００６１】
１…携帯電話機、２１…アンテナ、２２…操作キー、３１…表示画面、４１…ＣＰＵ、４２，４２Ａ…表示制御部、４３…通信制御部、５０，５０Ａ…フレームメモリ、５１，５１Ａ…入力文字用フレームメモリ、５２，５２Ａ…文字マスク用フレームメモリ
【図１】
2006352358.tif 000003
【図２】
2006352358.tif 000004
【図３】
2006352358.tif 000005
【図４】
2006352358.tif 000006
【図５】
2006352358.tif 000007
【図６】
2006352358.tif 000008
【図７】
2006352358.tif 000009
【図８】
2006352358.tif 000010
【図９】
2006352358.tif 000011
【図１０】
2006352358.tif 000012
【図１１】
2006352358.tif 000013
【図１２】
2006352358.tif 000014